(57)【要約】【課題】  打栓及び抜栓が容易であり、封止時及び抜栓時などに円筒状液体ポート２１に直接接触することがなく、かつ、滅菌時や輸送時などにおいて容器内圧が上昇したときに、栓抜け等により内部液体が漏出するのを完全に防止することのできる医療用具用円筒状液体ポートの封止構造、及びそのような封止構造を持つ医療用具１０、並びにその封止する方法を得る。【解決手段】  円筒状液体ポート２１としての円筒壁２３に凸条２６ａ，２６ｂを形成する。一方、円筒壁２３に密封状態に被冠される円筒状栓体３０には、天板３１の裏面に筒状密封体３３を一体成形すると共に、筒状体（筒状側面部）３２の内周面に、前記凸条２６ａ，２６ｂの侵入部３８と、封止のために円筒状栓体３０を回動したときに侵入部３８に侵入した凸条２６ａ，２６ｂが入り込むことのできる凹溝３６ａ，３６ｂとを形成する。【選択図】  図２
2005319323.tif 000002
【特許請求の範囲】
【請求項１】
医療用具用円筒状液体ポートの封止構造であって、医療用具に形成されたポートとしての円筒部と、該円筒部に密封状態に被冠される円筒状栓体とを備えてなり、前記ポート円筒部の外周面には軸線に直交する方向の同一円周上に２つ以上の離隔した凸条が形成されており、前記円筒状栓体は天板部と該天板部に連接する筒状側面部とからなり、天板部の裏面には前記筒状側面部に対して同心円状に配置され、かつ封止時に前記ポート円筒部の内周面に密封状態で挿入される筒状密封体が一体成形されており、かつ、筒状側面部の内周面には、前記ポート円筒部の外周面上の凸条の侵入部と封止のために栓体を回動したときに前記侵入部に侵入した凸条が入り込むようにされた凹溝とが凸条に対応する数だけ形成されていることを特徴とする医療用具用円筒状液体ポートの封止構造。
【請求項２】
前記２つ以上の離隔した凸条が等間隔で形成されていることを特徴とする、請求項１記載の医療用具用円筒状液体ポートの封止構造。
【請求項３】
前記凸条の外側面に突起又は切り欠きが形成されており、かつ前記凹溝の内側面には、封止時に該凸条に成形された該突起又は該切り欠きが係着する切り欠き又は突起が形成されていることを特徴とする、請求項１又は２記載の医療用具用円筒状液体ポートの封止構造。
【請求項４】
前記侵入部は、封止時の円筒状栓体の回動方向前方から後方に向けて次第に上方に傾斜した前記凸条のための案内面を備えていることを特徴とする、請求項１ないし３のいずれかに記載の医療用具用円筒状液体ポートの封止構造。
【請求項５】
少なくとも前記円筒状栓体の材質がポリエチレン又はポリプロピレンであることを特徴とする、請求項１ないし４のいずれかに記載の医療用具用円筒状液体ポートの封止構造。
【請求項６】
前記請求項１ないし５のいずれかに記載の封止構造を少なくとも１個以上有していることを特徴とする、円筒状栓体付き医療用具。
【請求項７】
前記医療用具が、白血球除去器、血液成分吸着材、プラズマセパレータ、人工腎臓から選択される請求項６記載の円筒状栓体付き医療用具。
【請求項８】
医療用具に形成された円筒状液体ポートを該円筒状液体ポートに密封状態に被冠される円筒状栓体により封止する方法であって、前記円筒状液体ポートの外周面に軸線に直交する同一円周上に離隔して設けられた２つ以上の凸条を、円筒状栓体の円筒内周面の円筒状栓体の軸線に直交する同一円周上に前記凸条の数に対向する数だけ設けられた閉鎖端部を有する凹溝内に、円筒状栓体を円筒状液体ポートの上方から被冠して下方に押し下げつつ回動させて前記凹溝の一端に設けられた凸条侵入部から滑り込ませ前記凹溝閉鎖端に衝接させることによって封止する方法。
【請求項９】
前記離隔して設けられた２つ以上の凸条が等間隔で形成されていることを特徴とする、請求項８記載の封止する方法。
【請求項１０】
前記円筒状栓体は天板部と該天板部に連接する筒状側面部とからなり、該天板部の裏面には該筒状側面部に対して同心円状に配置された筒状密封体が一体成形されており、前記円筒状栓体を前記円筒状液体ポートの上方から被冠して下方に押し下げた際に、該筒状密封体が前記円筒状液体ポートの内周面に密封状態で挿入されることを特徴とする、請求項８又は９記載の封止する方法。
【請求項１１】
前記凸条の外側面には突起又は切り欠きが形成され、かつ前記凹溝の内側面には切り欠き又は突起が形成されており、前記円筒状栓体を前記円筒状液体ポートの上方から被冠して下方に押し下げつつ回動させた際に、該凸条の外側面の突起又は切り欠きと該凹溝内側面の該切り欠き又は突起が係着することを特徴とする、請求項８ないし１０のいずれかに記載の封止する方法。
【請求項１２】
前記凸条侵入部は、封止時の円筒状栓体の回動方向前方から後方に向けて次第に上方に傾斜した前記凸条のための案内面を備えていることを特徴とする、請求項８ないし１１のいずれかに記載の封止する方法。
【請求項１３】
少なくとも前記円筒状栓体の材質がポリエチレン又はポリプロピレンであることを特徴とする、請求項８ないし１２のいずれかに記載の封止する方法。
【請求項１４】
前記医療用具が、白血球除去器、血液成分吸着材、プラズマセパレータ、人工腎臓から選択される請求項８ないし１３のいずれかに記載の封止する方法。
【発明の詳細な説明】
【技術分野】
【０００１】
本発明は、医療用具用円筒状液体ポートの封止構造及び該封止構造を持つ医療用具並びに封止する方法に関する。
【背景技術】
【０００２】
内部に水や水溶液等の液体が充填された医療用具、例えば、白血球除去器、血液成分吸着材、プラズマセパレータ、人工腎臓等は、体液の循環や水、水溶液等の通液のための一個以上の液体ポートを備える。各液体ポートには、滅菌時や輸送時に、内部液体が漏出するのを防止する等の目的で栓体が被冠される。図６はその一例であり、この栓体６０は、医療用具１に形成された円筒状の液体ポート２に密封状態に被冠されるものであり、天板６１と天板６１に連接する筒状体６２と、その下端に肉厚となった環状リブ６３とを備え、天板６１の裏面には封止時に前記円筒状の液体ポート２の内周面に密封状態で挿入する筒状密封体６４が一体成形されている。
【０００３】
図７は栓体の他の例であり、この栓体７０は、円形の保持部７１と、その下面中央部から凸設した外周に円形のリブ７２を有すると共に底面に開設された凹陥部７３を有する装着部７４とを、気体不透過性軟質材料を用いて射出成形の方法で一体成形してある。内圧が上昇したときに、前記凹陥部７３が外側に向けて押圧され、液体ポート２の内周面にしっかりと圧着することにより、不用意に脱栓することは防止される（特許文献１参照）。
【０００４】
さらに、図示しないが、特許文献２には、医療用具に形成された円筒状の液体ポートの環状陥没部に係合する肉厚となった環状リブを下端に備え、その上方には比較して肉薄である先端が閉塞した弾性筒状体が一体成形された栓体が開示されている。全体としてイソプレン等の柔らかい合成ゴムで作られており、滅菌時や輸送時等に高温場に曝されて内部圧力が上昇した場合に、栓体の弾性筒状体が膨張することによって、不用意に脱栓することを防止している。
【特許文献１】特開平７−２７５３５６号公報
【特許文献２】特公平２−１６１４７公報
【発明の開示】
【発明が解決しようとする課題】
【０００５】
上記した栓体はいずれにしろ栓体が変形することによって密封状態を確保し、かつ、不用意な脱栓を防止しようとするものであり、使用する材料は比較的柔らかいものである必要がある。そのために、栓硬度が低くなって形状維持が困難となり、ねじることで抜栓することが困難となる。結果として、このような栓体を持つ医療用具用液体ポートの封止構造では、抜栓時に液体ポートの部分に直接接触することが起こり得る。また、栓体を被冠した状態で、特に図７に示す形態のものでは、液体ポートは多くの部分は外部に露出した状態となっており、特に打栓あるいは抜栓時において、手指の接触などによる汚染が発生する可能性を否定できない。さらに、いずれも、密封機能と保栓機能とは共に摩擦係合によって担保されており、打栓時の摩擦抵抗が大きいことから、所要の位置に栓体を打栓する作業は容易ではない一方において、このような栓体を持つ封止構造においては、設計値よりも高い内圧が生じた場合に、栓抜けによる密封破壊が生じるのを完全に防止するのはきわめて困難となる。そのために、輸送中などに充填液体が漏出するような恐れがある。
【０００６】
本発明は、上記のような栓体を備えた医療用具用液体ポートの封止構造に生じている前記したような不都合を解消することを目的としており、打栓及び抜栓が容易であり、封止時及び抜栓時などに液体ポートに直接接触する可能性を極力低減でき、さらに、滅菌時や輸送時などにおいて容器内圧が上昇したときに、栓抜け等により内部液体が漏出するのを完全に防止することのできる医療用具用円筒状液体ポートの封止構造を提供することを目的とする。本発明は、また、上記の封止構造を持つ医療用具を提供することを目的とする。さらに、本発明は、上記医療用具用円筒状液体ポートを封止する方法をも提供することを目的とする。
【発明の効果】
【０００７】
本発明によれば、打栓及び抜栓が容易であり、封止時及び抜栓時などに円筒状液体ポートに直接接触することがなく、かつ、滅菌時や輸送時などにおいて容器内圧が上昇したときに、栓抜け等により内部液体が漏出するのを完全に防止することのできる医療用具用円筒状液体ポートの封止構造、及びそのような封止構造を持つ医療用具、さらには、医療用具用円筒状液体ポートを封止する方法が得られる。
【課題を解決するための手段】
【０００８】
上記課題を達成するための本発明による医療用具用円筒状液体ポートの封止構造は、医療用具に形成されたポートとしての円筒部と、該円筒部に密封状態に被冠される円筒状栓体とを備えてなり、前記ポート円筒部の外周面には軸線に直交する方向の同一円周上に２つ以上の離隔した凸条が形成されており、前記円筒状栓体は天板部と該天板部に連接する筒状側面部とからなり、天板部の裏面には前記筒状側面部の対して同心円状に配置され、かつ封止時に前記ポート円筒部の内周面に密封状態で挿入される筒状密封体が一体成形されており、かつ、筒状側面部の内周面には、前記ポート円筒部の外周面上の凸条の侵入部と封止のために栓体を回動したときに前記侵入部に侵入した凸条が入り込むようにされた凹溝とが凸条に対応する数だけ形成されていることを特徴とする。
【０００９】
また、上記課題を達成するための本発明による封止方法は、医療用具に形成された円筒状液体ポートを該円筒状液体ポートに密封状態に被冠される円筒状栓体により封止する方法であって、前記円筒状液体ポートの外周面に軸線に直交する同一円周上に離隔して設けられた２つ以上の凸条を、円筒状栓体の円筒内周面の円筒状栓体の軸線に直交する同一円周上に前記凸条の数に対向する数だけ設けられた閉鎖端部を有する凹溝内に、栓体を円筒状液体ポートの上方から被冠して下方に押し下げつつ回動させて前記凹溝の一端に設けられた凸条侵入部から滑り込ませ前記凹溝閉鎖端に衝接させることによって封止することを特徴とする。
【００１０】
本発明が適用される医療用具は、内部に注射用蒸留水、イオン交換水、限外濾過水等の水、生理食塩水、緩衝液、輸液、透析液等の塩を含有する水溶液に例示される液体が充填されるとともに、滅菌することを必要とするものである。例として、前記したように、白血球除去器、血液成分吸着材、プラズマセパレータ、人工腎臓等をあげることができる。滅菌方法としては、高圧蒸気滅菌、加熱滅菌、放射線滅菌、電子線滅菌等の滅菌方法が用いられる。これらはいずれも加熱を伴い、医療用具内の内圧が内容液体の膨張のため上昇することから高い耐圧気密性が要求されるので、本発明による封止構造は好ましく用いられる。
【００１１】
本発明による封止構造において、医療用具側に円筒状液体ポートとして形成される円筒部の構造は任意であり、本発明による円筒状栓体が上方から被冠できること、及び、その外周面の一部に軸線に直交する方向の凸条が形成されていることを条件に任意であり、特に制限はない。そのような円筒状液体ポートとして機能する円筒部に本発明による円筒状栓体を上方から被冠し、幾分下方に押し付けた状態で円筒状栓体を回動することにより、両者間の封止状態が形成され、封止後に、内圧の変動等があっても密封状態はそのまま維持される。
【００１２】
すなわち、円筒状栓体を上方から被冠して下方に押し下げていくことにより、その天板裏面に一体成形された筒状密封体が、その外周面を円筒部の内周面に密着させた状態で次第に挿入されていき、円筒状液体ポート側と円筒状栓体側との間の密封封止状態が形成される。所定距離だけ円筒状栓体が下降した時点で、筒状体（天板部に連接する筒状側面部）の内周面に形成された侵入部のレベルと円筒部の外周面に形成されている凸条のレベルとが一致し、周方向の位置合わせをすることにより、凸条は前記侵入部の内部に入り込む。
【００１３】
その状態で、円筒状栓体を回動すると、侵入部に侵入した凸条は侵入部に連続して形成されている凹溝内に滑り込むようにして次第に入り込んでいき、所要角度回動することにより、凸条全体が凹溝内に入り込んだ状態となる。その時点で、本発明による封止構造は完成する。この封止構造では、円筒状液体ポート側に形成された凸条が、円筒状栓体の内周壁に形成された凹溝に横方向から入り込んだ状態で封止状態が完成し、その状態が保持されるので、円筒状栓体が円筒状液体ポートの軸方向に自由移動することは確実に抑制される。
【００１４】
そのために、医療用具内の内圧が上昇したとしても、円筒状栓体が、その天板裏面の筒状密封体の外周面と円筒状液体ポート内周面との間に形成されている密封状態を解放する方向に移動することは確実に阻止される。円筒状栓体の回動は、円筒状栓体の天板に連接する筒状体（筒状側面部）の外周面を掴んで行えばよく、回動操作は容易であり、かつ、円筒状液体ポートに直接接触することは確実に回避できる。また、抜栓するときは、同様に筒状体の外周面を掴んで、所定角度だけ逆方向に回動し、その後、円筒状栓体を円筒状液体ポートの軸方向に引き上げるだけで、抜栓作業は終了する。その作業は容易であり、かつ、円筒状液体ポートに直接接触することも確実に回避できる。
【００１５】
上記のようであり、本発明による封止構造に採用される円筒状栓体は、ある程度の保形性を備えることが望ましい。そのために材質としては、例えば、ポリエチレン、ポリプロピレン、ポリカーボネート、ポリスチレン、ポリアミド、ポリアセタール等の比較的に硬い樹脂を列挙することができるが、中でもポリエチレン、ポリプロピレンのような樹脂材料は、密封性や成形し易さの理由から特に好ましい材料となる。
【００１６】
好ましい態様において、円筒状液体ポートを形成する円筒部の外周面に形成される凸条の数は等間隔で２個以上とされ、円筒状栓体の内周面には前記凸条に対応する数だけの侵入部及び凹溝が形成される。それにより、封止時に生じる円筒状液体ポートと円筒状栓体との間に負荷を均等分配することができ、通常の封止時はもちろんのこと、内圧が大きく上昇した際にも、安定した係止状態を維持することができ、密封破壊が生じるのは有効に阻止される。
【００１７】
好ましい態様において、前記侵入部は、封止時の円筒状栓体の回動方向前方から後方に向けて次第に上方に傾斜した前記凸条のための案内面を備える。この態様においては、凸条を前記侵入部の内部に入り込ませた姿勢で円筒状栓体を回動するときに、前記案内面の傾斜に沿って凸条が案内されることから、円筒状栓体は下方に向けて押し下げる力を受けるようになる。それにより、円筒状栓体の天板及びその裏面に形成された筒状密封体と、円筒状液体ポートである円筒部の先端部及び内周面との間の密着性は一層確実に確保され、円筒状液体ポート側と円筒状栓体側との間に一層高い密封性が形成される。
【００１８】
また、前記凸条はその外側面に突起又は切り欠きを備えていてもよく、前記凹溝の内側面には、封止時に前記凸条に形成した突起又は切り欠きが係着する切り欠き又は突起が形成されていてもよい。このようにすることにより、突起と切り欠きとが封止時に係着した状態となるので、不用意に円筒状栓体が回動することを阻止することができ、輸送時などにおいて医療用具に不規則なかつ予期せぬ動きが生じるような場合でも、円筒状液体ポートの封止構造が破壊するのを一層確実に阻止することができる。
【発明を実施するための最良の形態】
【００１９】
以下、図面を参照しながら、本発明による医療用具用円筒状液体ポートの封止構造及び該封止構造を持つ医療用具の好ましい実施の形態を、その封止する方法と共に説明する。図１は、本発明による医療用具用円筒状液体ポートの封止構造を持つ医療用具の一実施の形態を示す側面図である。図２はその封止構造部分を拡大して示す斜視図であり、円筒状栓体を被冠する前の状態を示している。図３ａは、図２の状態を側面から見た図であり、円筒状栓体は断面により示してある。また、図３ｂは、打栓後の状態を一部断面により示している。図４は図１のＩＶ−ＩＶ線による断面図である。
【００２０】
図１に示す医療用具１０は、例えば、内部に中空糸等を収容した人工腎臓であり、軸方向に血液などの流入口１１と流出口１２とを備え、筒体の両端近傍の周面には、透析液などの他の流体の流入ポート２１及び流出ポート２２を備えている。流入口１１と流出口１２には従来知られたキャップ１３が脱着自在に装着されており、流入ポート２１と流出ポート２２には、本願発明による円筒状栓体３０が密封状態に被冠されている。
【００２１】
流入ポート２１と流出ポート２２は同じ形状であり、また、そこに被冠される円筒状栓体３０も同じものである。従って、以下では、医療用具用円筒状液体ポートの例として流入ポート２１を取り上げ、そこに円筒状栓体３０を被冠する場合を例として、本発明による封止構造を説明する。流入ポート２１は円筒壁２３を有し、その先端は小径部２４とされており、かつ、基部側は環状陥没部２５とされている。この環状陥没部２５は、他の機器との接続時に該機器の一部が入り込み、接続を安定させるためのものである。本発明による封止構造において、円筒壁２３の外周面における前記環状陥没部２５よりもわずかに下位の位置に、流入ポート２１の軸線に直交する方向の延びる適数（図では２個）の凸条２６ａ，２６ｂが、軸線に直交する同一平面内において、一体成形されている。なお、封止構造部分をコンパクト化するために、凸条２６ａ，２６ｂの形成位置は、医療用具１０の筒体側に近い位置であることが望まれる。また、本発明による封止構造において、前記した環状陥没部２５は必須のものではない。
【００２２】
円筒状栓体３０は、限定されるものではないが、この例では、ポリエチレンを材料とする射出成形品である。円筒状栓体３０は、前記流入ポート２１の円筒壁２３に密封状態で被冠される構造であり、天板３１と、天板３１に一体に連接する筒状体（筒状側面部）３２とを備え、天板３１の裏面には、封止時に前記円筒壁２３の内周面２７に密封状態で挿入される筒状密封体３３が一体成形されている。図示の例では、筒状体３２の内周壁は径の異なる二段壁となっており、小径である内周壁上位部３２ａと、より大きな径の内周壁下位部３２ｂとからなる。内周壁上位部３２ａの内径は、流入ポート２１の円筒壁２３の外径とほぼ等しいことが密封性をより確実にする観点から好ましいが、前記筒状密封体３３が前記円筒壁２３の内周面２７に密封状態で挿入される構成を備えており、そこで所要の密封機能は確保されるので、内周壁上位部３２ａと流入ポート２１の円筒壁２３との間に多少の隙間があっても差し支えない。また、円筒状栓体３０の被冠操作を容易にするために大きな径の内周壁下位部３２ｂが形成されるが、必ず二段壁とする必要はなく、円筒壁２３の内周壁はすべてが同じ内径のものであってもよい。
【００２３】
円筒状栓体３０の前記内周壁下位部３２ｂにおける、円筒状栓体の下縁３４からわずか上位の位置には、等間隔をおいて適数（図では２個）の凹溝３６ａ，３６ｂが、流入ポート２１の軸線に直交する方向に、かつ、軸線に直交する同一内周面に形成されている。該凹溝３６ａ，３６ｂの長さは、前記円筒壁２３の外周面に一体成形された凸条２６ａ，２６ｂの長さと等しいかやや長く、また、その上下方向の幅は凸条２６ａ，２６ｂの幅と等しいかやや幅広である。また、凹溝３６ａ，３６ｂの底面を結ぶ仮想円の直径は、前記凸条２６ａ，２６ｂの先端面を結ぶ仮想円の直径とほぼ等しくなるようにされている。
【００２４】
前記凹溝３６ａ，３６ｂの一方の端部３７は閉鎖している。凹溝３６ａ，３６ｂの他方の端部側における内周壁下位部３２ｂ部分は、凹溝３６ａ，３６ｂの端部側から少なくとも前記凸条２６ａ，２６ｂの長さ以上にわたって、下縁３４に達する肉薄部３８とされており、該肉薄部３８の内周面を結ぶ仮想円の直径は、凹溝３６ａ，３６ｂの底面を結ぶ仮想円の直径と等しくされている。また、該肉薄部３８の上端壁３９は、図示の例では、下方に向けて次第に傾斜した面となっており、円筒状栓体３０の下縁３４で終わっている。なお、上端壁３９は、流入ポート２１の軸線に直交する方向に、すなわち水平方向に所定距離延び、そこで軸線方向の垂直壁として終了するような形態であっても差し支えない。
【００２５】
上記の構成であり、前記円筒状栓体３０の内周壁下位部３２ｂにおいて、前記肉薄部３８が形成されている領域では、流入ポート２１に形成した凸条２６ａ，２６ｂは円筒状栓体３０の下縁３４側から該肉薄部３８に入り込むことができる。また、前記凹溝３６ａ，３６ｂとされている領域では、凹溝３６ａ，３６ｂの解放側端部から凸条２６ａ，２６ｂが入り込むことはできるが、入り込んだ後は、軸線方向には移動することができない。
【００２６】
打栓に当たっては、円筒状栓体３０を流入ポート２１の上方から被冠して下方に押し下げる。押し下げるにつれて、天板３１の裏面に一体成形された筒状密封体３３が、その外周面を流入ポート２１の円筒壁２３の内周面２７に密着させた状態で次第に挿入されていき、密封状態が形成される。さらに所定距離だけ円筒状栓体３０を押し込むことにより、円筒状栓体３０の下縁３４が流入ポート２１の円筒壁２３の外周面に形成した凸条２６ａ，２６ｂの位置に達する。その位置で円筒状栓体３０を回転して、凸条２６ａ，２６ｂと円筒状栓体３０の前記肉薄部３８とを対向させる。
【００２７】
その位置でさらに円筒状栓体を押し込むと、凸条２６ａ，２６ｂは肉薄部３８内に侵入する。押し込みと共に円筒状栓体を回動させることにより、凸条２６ａ，２６ｂは肉薄部３８の上端壁３９に案内されながら、次第に前記凹溝３６ａ，３６ｂ内に滑り込むようにして入り込む。凸条２６ａ，２６ｂの一端が凹溝３６ａ，３６ｂの閉鎖端３７に衝接した時点で、本発明による封止構造は完成する。抜栓する場合には、逆の手順を行えばよい。
【００２８】
打栓及び抜栓の作業は、円筒状栓体３０の筒状体３２部分を指で押さえた状態ですべてを行うことができ、流入ポート２１に触れる恐れは全くない。また、円筒状栓体３０は比較的硬質の材料で作られているので、円筒状栓体３０の変形を伴うこともなく、封止作業は容易である。また、前記のように、凸条２６ａ，２６ｂが、円筒状栓体３０に形成した凹溝３６ａ，３６ｂに横方向から入り込んだ状態で封止状態が完成し、その状態が維持されるので、円筒状栓体３０が流入ポート２１の軸方向に自由移動することはない。そのために、医療用具１０内の内圧が上昇したとしても、円筒状栓体３０が不用意に外れたり、密封状態が破壊されるようなことはない。
【００２９】
さらに、図示の例では、侵入部（肉薄部３８）は、封止時の円筒状栓体３０の回動方向前方から後方に向けて次第に上方に傾斜した案内面（肉薄部３８の上端壁３９）を備えており、前記案内面の傾斜に沿って凸条２６ａ，２６ｂは案内されるので、円筒状栓体３０は下方に向けて押し下げる力を受ける。それにより、流入ポート２１側と円筒状栓体３０側との間に一層高い密封性が形成される。
【００３０】
なお、上記の例では、流入ポート２１を形成する円筒壁２３の外周面に凸条２６が２個形成されているが、２個以上形成してもよい。その場合には、封止時に生じる流入ポート２１と円筒状栓体３０との間に生じる負荷を、より多くの箇所に均等分配することができ、密封破壊が生じるのを一層有効に阻止することができる。
【００３１】
図５は本発明による封止構造の他の実施の形態であり、図２に相当する図である。図５において、同じ機能を奏する部材には図２におけると同じ符号を付し、説明は省略する。この実施の形態において、前記凸条２６ａ，２６ｂにはその外側面に切り欠き２９が形成されており、前記凹溝３６ａ，３６ｂの内側面には、封止時に前記凸条２６ａ，２６ｂに形成した切り欠き２９が係着する突起４０が形成されている。この態様では、突起４０と切り欠き２９とが封止時に相互に係着した状態となるので、不用意に円筒状栓体が回動することを確実に阻止することができる。それにより、輸送時などにおいて医療用具に不規則なかつ予期せぬ動きが生じるような場合でも、流入ポート２１の封止構造が破壊するのは確実に回避できる。
【図面の簡単な説明】
【００３２】
【図１】本発明による医療用具用円筒状液体ポートの封止構造を持つ医療用具の一実施の形態を示す側面図。
【図２】図１に示す封止構造部分を拡大して示す斜視図であり、円筒状栓体を被冠する前の状態を示している。
【図３】図３ａは図２の状態を側面から見た図、図３ｂは、打栓後の状態を一部断面により示す図。
【図４】図１のＩＶ−ＩＶ線による断面図。
【図５】本発明による医療用具用円筒状液体ポートの封止構造の他の一実施の形態を示す斜視図。
【図６】従来の医療用具用円筒状液体ポートの封止構造に用いる円筒状栓体を一例を説明する図。
【図７】従来の医療用具用円筒状液体ポートの封止構造に用いる円筒状栓体の他の例を説明する図であり、図７ａは側面図、図７ｂは断面図である。
【符号の説明】
【００３３】
１０…医療用具、２１，２２…医療用具用円筒状液体ポート、２３…円筒壁、２６ａ，２６ｂ…凸条、２７…円筒壁の内周面、３０…円筒状栓体、３１…天板、３２…筒状体（筒状側面部）、３３…筒状密封体、３４…円筒状栓体の下縁、３６ａ，３６ｂ…凹溝、３８…肉薄部（侵入部）、３９…肉薄部の上端壁（凸条のための案内面）、２９…凸条に形成した切り欠き、４０…凹溝に形成した突起
【図１】
2005319323.tif 000003
【図２】
2005319323.tif 000004
【図３】
2005319323.tif 000005
【図４】
2005319323.tif 000006
【図５】
2005319323.tif 000007
【図６】
2005319323.tif 000008
【図７】
2005319323.tif 000009
【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
内部に液体が充填された医療用具用円筒状液体ポートの封止構造であって、医療用具に形成されたポートとしての円筒部と、該円筒部に密封状態に被冠される円筒状栓体とを備えてなり、前記ポート円筒部の外周面には軸線に直交する方向の同一円周上に２つ以上の離隔した凸条が形成されており、前記円筒状栓体は天板部と該天板部に連接する筒状側面部とからなり、天板部の裏面には前記筒状側面部に対して同心円状に配置され、かつ封止時に前記ポート円筒部の内周面に密封状態で挿入される筒状密封体が一体成形されており、かつ、筒状側面部の内周面には、前記ポート円筒部の外周面上の凸条の侵入部と封止のために栓体を回動したときに前記侵入部に侵入した凸条が入り込むようにされた凹溝とが凸条に対応する数だけ形成されていることを特徴とする、内部に液体が充填された医療用具用円筒状液体ポートの封止構造。
【請求項２】
前記筒状密封体の外径が中間部分で拡張していることを特徴とする、請求項１記載の内部に液体が充填された医療用具用円筒状液体ポートの封止構造。
【請求項３】
前記２つ以上の離隔した凸条が等間隔で形成されていることを特徴とする、請求項１又は２記載の内部に液体が充填された医療用具用円筒状液体ポートの封止構造。
【請求項４】
前記凸条の外側面に突起又は切り欠きが形成されており、かつ前記凹溝の内側面には、封止時に該凸条に成形された該突起又は該切り欠きが係着する切り欠き又は突起が形成されていることを特徴とする、請求項１ないし３のいずれかに記載の内部に液体が充填された医療用具用円筒状液体ポートの封止構造。
【請求項５】
前記侵入部は、封止時の円筒状栓体の回動方向前方から後方に向けて次第に上方に傾斜した前記凸条のための案内面を備えていることを特徴とする、請求項１ないし４のいずれかに記載の内部に液体が充填された医療用具用円筒状液体ポートの封止構造。
【請求項６】
少なくとも前記円筒状栓体の材質がポリエチレン又はポリプロピレンであることを特徴とする、請求項１ないし５のいずれかに記載の内部に液体が充填された医療用具用円筒状液体ポートの封止構造。
【請求項７】
前記請求項１ないし６のいずれかに記載の封止構造を少なくとも１個以上有していることを特徴とする、円筒状栓体付き医療用具。
【請求項８】
前記医療用具が、白血球除去器、血液成分吸着材、プラズマセパレータ、人工腎臓から選択される請求項７記載の円筒状栓体付き医療用具。
【請求項９】
内部に液体が充填された医療用具に形成された円筒状液体ポートを該円筒状液体ポートに密封状態に被冠される円筒状栓体により封止する方法であって、前記円筒状栓体は天板部と該天板部に連接する筒状側面部とからなり、天板部の裏面には前記筒状側面部に対して同心円状に配置され、かつ封止時に前記ポート円筒部の内周面に密封状態で挿入される筒状密封体が一体成形されており、前記円筒状液体ポートの外周面に軸線に直交する同一円周上に離隔して設けられた２つ以上の凸条を、円筒状栓体の円筒内周面の円筒状栓体の軸線に直交する同一円周上に前記凸条の数に対応する数だけ設けられた閉鎖端部を有する凹溝内に、円筒状栓体を円筒状液体ポートの上方から被冠して下方に押し下げつつ回動させて前記凹溝の一端に設けられた凸条侵入部から滑り込ませ前記凹溝閉鎖端に衝接させることによって前記筒状密封体を前記ポート円筒部の内周面に密封状態に挿入させて封止する方法。
【請求項１０】
前記離隔して設けられた２つ以上の凸条が等間隔で形成されていることを特徴とする、
請求項９記載の封止する方法。
【請求項１１】
前記筒状密封体の外径が中間部分で拡張していることを特徴とする、請求項９又は１０記載の封止する方法。
【請求項１２】
前記凸条の外側面には突起又は切り欠きが形成され、かつ前記凹溝の内側面には切り欠
き又は突起が形成されており、前記円筒状栓体を前記円筒状液体ポートの上方から被冠し
て下方に押し下げつつ回動させた際に、該凸条の外側面の突起又は切り欠きと該凹溝内側
面の該切り欠き又は突起が係着することを特徴とする、請求項９ないし１１のいずれかに
記載の封止する方法。
【請求項１３】
前記凸条侵入部は、封止時の円筒状栓体の回動方向前方から後方に向けて次第に上方に
傾斜した前記凸条のための案内面を備えていることを特徴とする、請求項９ないし１２の
いずれかに記載の封止する方法。
【請求項１４】
少なくとも前記円筒状栓体の材質がポリエチレン又はポリプロピレンであることを特徴
とする、請求項９ないし１３のいずれかに記載の封止する方法。
【請求項１５】
前記医療用具が、白血球除去器、血液成分吸着材、プラズマセパレータ、人工腎臓から
選択される請求項９ないし１４のいずれかに記載の封止する方法。
【手続補正２】
【補正対象書類名】明細書
【補正対象項目名】０００８
【補正方法】変更
【補正の内容】
【０００８】
上記課題を達成するための本発明による内部に液体が充填された医療用具用円筒状液体ポートの封止構造は、医療用具に形成されたポートとしての円筒部と、該円筒部に密封状態に被冠される円筒状栓体とを備えてなり、前記ポート円筒部の外周面には軸線に直交する方向の同一円周上に２つ以上の離隔した凸条が形成されており、前記円筒状栓体は天板部と該天板部に連接する筒状側面部とからなり、天板部の裏面には前記筒状側面部に対して同心円状に配置され、かつ封止時に前記ポート円筒部の内周面に密封状態で挿入される筒状密封体が一体成形されており、かつ、筒状側面部の内周面には、前記ポート円筒部の外周面上の凸条の侵入部と封止のために栓体を回動したときに前記侵入部に侵入した凸条が入り込むようにされた凹溝とが凸条に対応する数だけ形成されていることを特徴とする。
【手続補正３】
【補正対象書類名】明細書
【補正対象項目名】０００９
【補正方法】変更
【補正の内容】
【０００９】
また、上記課題を達成するための本発明による封止方法は、内部に液体が充填された医療用具に形成された円筒状液体ポートを該円筒状液体ポートに密封状態に被冠される円筒状栓体により封止する方法であって、前記円筒状栓体は天板部と該天板部に連接する筒状側面部とからなり、天板部の裏面には前記筒状側面部に対して同心円状に配置され、かつ封止時に前記ポート円筒部の内周面に密封状態で挿入される筒状密封体が一体成形されており、前記円筒状液体ポートの外周面に軸線に直交する同一円周上に離隔して設けられた２つ以上の凸条を、円筒状栓体の円筒内周面の円筒状栓体の軸線に直交する同一円周上に前記凸条の数に対向応する数だけ設けられた閉鎖端部を有する凹溝内に、円筒状栓体を円筒状液体ポートの上方から被冠して下方に押し下げつつ回動させて前記凹溝の一端に設けられた凸条侵入部から滑り込ませ前記凹溝閉鎖端に衝接させることによって前記筒状密封体を前記ポート円筒部の内周面に密封状態に挿入させて封止する方法。
【手続補正４】
【補正対象書類名】明細書
【補正対象項目名】００３３
【補正方法】変更
【補正の内容】
【００３３】
１０…医療用具、２１，２２…医療用具用円筒状液体ポート、２３…円筒壁（円筒部）、２６ａ，２６ｂ…凸条、２７…円筒壁（円筒部）の内周面、３０…円筒状栓体、３１…天板、３２…筒状体（筒状側面部）、３３…筒状密封体、３４…円筒状栓体の下縁、３６ａ，３６ｂ…凹溝、３８…肉薄部（侵入部）、３９…肉薄部の上端壁（凸条のための案内面）、２９…凸条に形成した切り欠き、４０…凹溝に形成した突起